(57)【要約】【課題】専用チャートなどを用いずに、千鳥方式センサの各ＣＩＳから出力される読取画像信号の副走査方向の連結を行うようにする。【解決手段】千鳥方式センサを構成するＣＩＳ１〜５のデジタル読取信号ＤＲ１ａ〜ＤＲ５ａをバッファメモリ２０４〜２０８で遅延するライン数を、原稿先端検知部２０２の検出信号ＳＳに基づいて検知した副走査の遅延ライン数に従って、副走査位置合わせ処理手段２０３が調整する。【選択図】        図４
2010219873.tif 000002
【特許請求の範囲】
【請求項１】
原稿を副走査方向に搬送する搬送手段と、
前記原稿の画像を読み取る複数のラインイメージセンサを千鳥状に配置し、主走査方向に隣接するラインイメージセンサの読取領域を互いに重複させた原稿読取手段とを備えた画像読取装置であって、
前記複数のラインイメージセンサからおのおの出力される読取画像信号を一時的に格納するバッファメモリ手段と、
前記複数のラインイメージセンサの出力に基づいて、前記原稿先端に形成される陰影を検出する陰影検出手段と、
前記陰影検出手段の検出出力に基づいて、前記複数のラインイメージセンサから出力される前記読取画像信号を副走査方向に位置合わせを行う副走査位置合わせ処理手段とを備えたことを特徴とする画像読取装置。
【請求項２】
前記副走査位置合わせ処理手段は、前記陰影検出手段が検出した前記複数のラインイメージセンサの陰影検出のタイミングの時間差に基づいて、隣接する前記ラインイメージセンサから出力される読取信号の副走査方向の距離を判定し、その距離に応じて隣接する前記ラインイメージセンサから出力され前記バッファメモリ手段に格納された前記読取画像信号の読出タイミングを定め、それらのラインイメージセンサから出力される前記読取画像信号の副走査方向に位置合わせを行うことを特徴とする請求項１記載の画像読取装置。
【請求項３】
前記副走査位置合わせ処理手段により副走査方向に位置合わせが行われた前記複数のラインイメージセンサから出力される前記読取画信号について、主走査方向に隣接する２つの前記ラインイメージセンサの読取領域からそれぞれ得られた前記読取画像信号を、前記読取領域内で連続させるように前記バッファメモリ手段に格納された前記読取画像信号を補正する主走査繋ぎ目補正手段をさらに備えたことを特徴とする請求項１または２記載の画像読取装置。
【請求項４】
前記陰影検出手段は、前記ラインイメージセンサから出力される読取画像信号のうち、そのラインイメージセンサおよびそのラインイメージセンサと隣接するラインイメージセンサとの重複領域で得られた信号に基づいて、前記陰影を検出することを特徴とする請求項１乃至３のいずれか一項に記載の画像読取装置。
【請求項５】
前記陰影検出手段の検出動作は、前記原稿読取手段の原稿読取動作毎に行うことを特徴とする請求項１乃至４のいずれか一項に記載の画像読取装置。
【請求項６】
前記陰影検出手段の検出動作は、前記原稿読取手段のあらかじめ定めた所定の条件を満たす原稿読取動作において行い、
前記副走査位置合わせ処理手段が前記陰影検出手段の検出出力に基づいて取得した副走査位置合わせ処理のために参照する情報を格納するメモリ手段をさらに備え、
前記副走査位置合わせ処理手段は、前記メモリ手段に格納した情報を参照して、副走査位置合わせ処理を行うことを特徴とする請求項１乃至４のいずれか一項に記載の画像読取装置。
【請求項７】
請求項１乃至６のいずれか一項に記載の画像読取装置を備えた画像形成装置。
【発明の詳細な説明】
【技術分野】
【０００１】
本発明は、原稿の画像を読み取る複数のラインイメージセンサを千鳥状に配置し、主走査方向に隣接するラインイメージセンサの読取領域を互いに重複させた原稿読取手段を備えた画像読取装置および画像形成装置に関する。
【背景技術】
【０００２】
従来、画像読取装置において、Ａ０サイズ等の大きなサイズの読み取りを実現するに当たり、複数個のＡ３やＡ４サイズのＣＩＳ（Ｃｏｎｔａｃｔ  Ｉｍａｇｅ  Ｓｅｎｓｏｒ；密着イメージセンサ）を千鳥状にならべ、低コストで実現する千鳥方式センサがある。なお、ＣＩＳは、等倍に画像を読み取ることから、等倍イメージセンサとも言われる。
一般に、Ａ３やＡ４サイズのＣＩＳはコンシューマ向けに大量に生産されているため低コストである。これに対して、Ａ０サイズのＣＩＳは需要が少ないために生産量が少なく、構成部品のセルフォック（登録商標）レンズアレイ等も高価であるため部品コストが高い。そこで、装置コストを低減するために、低コストのＡ３やＡ４サイズのＣＩＳを用いてＡ０サイズ読取を実現できる上記千鳥方式センサが実用された。
【０００３】
このような千鳥方式センサでは各ＣＩＳで読み取った読取画信号を、あたかも単一ＣＩＳで読み取った様に変換する必要がある。通常は、主走査方向の繋ぎ調整を各ＣＩＳの読取範囲を調整することにより行い、副走査方向の繋ぎ調整を遅延メモリの遅延量を調整することにより行っている。
【０００４】
例えば、製造工程で読み取りセンサの読み取りつなぎ目のずれ量の測定を行い、主走査方向の画像データの読み出し開始画素と読み出し終了画素を決定して調整し、またその副走査方向に直交する直線画像の相対的なずれ量を求めて画像を最適に合成する方法が提案されている（特許文献１参照）。
また、各ＣＩＳの繋ぎ目を目立たなくするため、隣接ＣＩＳで繋ぎ目部分を重複して読み取り、その重複して読み取った画素信号から新たな画素信号を生成する。この新たな画素信号を生成するに当たり、隣接する別々のＣＩＳに属する（副走査方向で対峙する）２画素の信号を使用し、演算式により新たな１画素分の画素信号を生成する。また、読取前方に配置されたＣＩＳの主走査ラインの遅延量を調整することにより、副走査方向の読取ズレを無くす方法が提案されている（特許文献２参照）。
【発明の概要】
【発明が解決しようとする課題】
【０００５】
しかしながら、このように製造工程で調整を行っても、市場では、環境変動、経時、あるいは原稿種類により隣接ＣＩＳ間で画像の読取ずれが発生し、読取画質が劣化する。また、上述した従来方法の調整は製造工程内で専用チャートにより行われており、市場でユーザやサービスマンが実施する事は困難であり、いったん発生した読取ずれを解消するには、工場で再調整が必要となるという問題があった。
この発明は、かかる実情に鑑みてなされたものであり、専用チャートなどを用いずに、千鳥方式センサの各ＣＩＳから出力される読取画像信号の副走査方向の連結を行うことができる画像読取装置および画像形成装置を提供すること目的とする。
【課題を解決するための手段】
【０００６】
この発明は、原稿を副走査方向に搬送する搬送手段と、上記原稿の画像を読み取る複数のラインイメージセンサを千鳥状に配置し、主走査方向に隣接するラインイメージセンサの読取領域を互いに重複させた原稿読取手段とを備えた画像読取装置であって、上記複数のラインイメージセンサからおのおの出力される読取画像信号を一時的に格納するバッファメモリ手段と、上記複数のラインイメージセンサの出力に基づいて、上記原稿先端に形成される陰影を検出する陰影検出手段と、上記陰影検出手段の検出出力に基づいて、上記複数のラインイメージセンサから出力される上記読取画像信号を副走査方向に位置合わせを行う副走査位置合わせ処理手段とを備えたものである。
【０００７】
また、上記副走査位置合わせ処理手段は、上記陰影検出手段が検出した上記複数のラインイメージセンサの陰影検出のタイミングの時間差に基づいて、隣接する上記ラインイメージセンサから出力される読取信号の副走査方向の距離を判定し、その距離に応じて隣接する上記ラインイメージセンサから出力され上記バッファメモリ手段に格納された上記読取画像信号の読出タイミングを定め、それらのラインイメージセンサから出力される上記読取画像信号の副走査方向に位置合わせを行うようにするとよい。
上記副走査位置合わせ処理手段により副走査方向に位置合わせが行われた上記複数のラインイメージセンサから出力される上記読取画信号について、主走査方向に隣接する２つの上記ラインイメージセンサの読取領域からそれぞれ得られた上記読取画像信号を、上記読取領域内で連続させるように上記バッファメモリ手段に格納された上記読取画像信号を補正する主走査繋ぎ目補正手段をさらに備えたものである。
【０００８】
上記陰影検出手段は、上記ラインイメージセンサから出力される読取画像信号のうち、そのラインイメージセンサおよびそのラインイメージセンサと隣接するラインイメージセンサとの重複領域で得られた信号に基づいて、上記陰影を検出するとよい。
さらに、上記陰影検出手段の検出動作は、上記原稿読取手段の原稿読取動作毎に行うとよい。
また、上記陰影検出手段の検出動作は、上記原稿読取手段のあらかじめ定めた所定の条件を満たす原稿読取動作において行い、上記副走査位置合わせ処理手段が上記陰影検出手段の検出出力に基づいて取得した副走査位置合わせ処理のために参照する情報を格納するメモリ手段をさらに備え、上記副走査位置合わせ処理手段は、上記メモリ手段に格納した情報を参照して、副走査位置合わせ処理を行うようにするとよい。
この発明の画像形成装置は、上記のいずれかの画像読取装置を備えた画像形成装置である。
【発明の効果】
【０００９】
以上のようなこの発明の画像読取装置および画像形成装置によれば、専用チャートなどを用いずに、千鳥方式センサの各ＣＩＳから出力される読取画像信号の副走査方向の連結を行うことができるという効果を得る。
【図面の簡単な説明】
【００１０】
【図１】この発明の一実施例に係る画像読取装置の読取系の構成例を示した概略平面図である。
【図２】この発明の一実施例に係る画像読取装置の読取系の構成例を示した概略縦断面図である。
【図３】ＣＩＳ１〜５の配列態様を説明するための概略図である。
【図４】上述した読取系のＣＩＳ１〜５の読取信号を処理する信号処理系の要部の一例を示したブロック図である。
【図５】原稿先端検知方法について説明するための概略図である。
【図６】原稿先端検知を行う際の信号処理の一例を説明するための波形図である。
【図７】副走査画像読取タイミングを説明するための波形図である。
【図８】主走査繋ぎ目補正部２０９が行う主走査繋ぎ目補正処理について説明するための概略図である。
【図９】この実施例に係る画像読取装置を備えた画像形成装置としての複写装置のシステム全体の構成を示す図である。
【発明を実施するための形態】
【００１１】
以下、添付図面を参照しながら、この発明の実施の形態を詳細に説明する。
〔実施例〕
図１及び図２は、この発明の一実施例に係る画像読取装置の読取系の構成例を示している。この読取系は、例えば、Ａ０読取幅を備えた複写機などの画像形成装置（図示略）、あるいは、スキャナ装置（図示略）の画像読取手段として用いられるものである。
【００１２】
これらの図において、原稿Ｐは、搬送ローラ対Ｒ１により搬送方向へ送り出され、コンタクトガラスＧと圧板ＢＰ１，ＢＰ２の隙間を通過して、搬送ローラ対Ｒ２へ至り、搬送ローラ対Ｒ２により排出される。また、圧板ＢＰ１，ＢＰ２の表面は、シェーディング補正用の白基準画像を構成するために白色で形成されている。
また、コンタクトガラスＧの下方向には、原稿Ｐの画像を読み取るためのＣＩＳ１〜５が配設されている。ＣＩＳ１，ＣＩＳ３，ＣＩＳ５は、原稿Ｐの搬送方向上流側に、その読取位置（読取ライン）が主走査方向に平行になる態様に、かつ、同一線上に並ぶ態様に設けられ、また、ＣＩＳ２，ＣＩＳ４は、搬送方向下流側に、その読取位置（読取ライン）が主走査方向に平行になる態様に、かつ、同一線上に並ぶ態様に設けられている。
【００１３】
また、図３にその一部を示すように、これらのＣＩＳ１〜５は、ＣＩＳ１とＣＩＳ２、ＣＩＳ２とＣＩＳ３、ＣＩＳ３とＣＩＳ４、およびＣＩＳ４とＣＩＳ５が、それぞれ主走査方向に読み取り領域が重複される態様に配置されており、全体として、いわゆる千鳥状配列されて千鳥状センサを構成している。また、ＣＩＳ１，ＣＩＳ３，ＣＩＳ５と、ＣＩＳ２，ＣＩＳ４は、副走査方向に距離ＳＹの間隔で配列されている。
それぞれのＣＩＳ１〜５は、読取位置を照明する光源Ｌと、読取位置からの反射光を等倍センサＳに収束するセルフォックレンズアレイなどのレンズ素子Ｚと、レンズ素子Ｚにより収束された読取位置からの反射光を光電変換して、１ライン分の読取画像信号を形成する等倍ラインセンサＳから構成されている。
【００１４】
図４は、上述した読取系のＣＩＳ１〜５の読取信号を処理する信号処理系の要部の一例を示している。なお、図４では、簡単のために、ＣＩＳ１〜５の駆動信号の発生手段（従来周知事項）およびＣＩＳ１〜５に加えられる駆動信号などを省略している。
この信号処理系は、ＣＩＳ１〜５を駆動するとともに、ＣＩＳ１〜５から出力される読取信号を処理する読取部１００と、ＣＩＳ１〜５から出力される読取信号に基づいて、１主走査分の読取画信号を形成する画像処理部２００と、読取部１００および画像処理部２００などの動作を制御するＣＰＵ（中央処理装置）３００と、ＣＰＵ３００のシステムエリアなどを構成するためのＲＡＭ（ランダム・アクセス・メモリ）４００からなる。
【００１５】
読取部１００において、ＣＩＳ１〜５から出力される読取信号は、アナログ・デジタル変換器１１〜１５に入力され、それぞれ対応するデジタル読取信号ＤＲ１〜ＤＲ５に変換されて画像処理部２００のシェーディング補正部２０１に加えられる。
シェーディング補正部２０１は、読取部１００より出力されるデジタル読取信号ＤＲ１〜ＤＲ５に対し、周知のシェーディング補正処理を適用し、デジタル読取信号ＤＲ１〜ＤＲ５にあらわれる光量むら等の影響を除去するためのものであり、その出力は、それぞれ補正されたデジタル読取信号ＤＲ１ａ〜ＤＲ５ａとして、原稿先端検知部２０２に加えられる。なお、シェーディング補正は、通常、原稿Ｐの画像の読み取りに先立って行われるものであり、圧板ＢＰ１，ＢＰ２の白画像の画像を読み込んで基準データを形成する。
【００１６】
原稿先端検知部２０２は、ＣＩＳ１〜５の読取信号に対応したデジタル読取信号ＤＲ１ａ〜ＤＲ５ａに基づき、ＣＩＳ１〜５が原稿Ｐの先端に形成される陰影（後述）を読み取ったことを検出するためのものであり（後述）、その検出信号ＳＳは、副走査位置合わせ処理部２０３に出力されている。また、原稿先端検知部２０２は、入力したデジタル読取信号ＤＲ１ａ〜ＤＲ５ａをそのままバッファメモリ２０４〜２０８に出力する。
【００１７】
バッファメモリ２０４〜２０８は、ＣＩＳ１〜５の副走査方向の位置ずれを解消するために用いられる遅延バッファであり、複数ライン分のデジタル読取信号ＤＲ１ａ〜ＤＲ５ａをライン単位に格納し、その読み出しは、副走査位置合わせ処理部２０３により制御される。また、原稿Ｐの搬送方向上流側に設けられているＣＩＳ１，３，５から出力されるデジタル読取信号ＤＲ１ａ，ＤＲ３ａ，ＤＲ５ａは、原稿Ｐの搬送方向下流側に設けられているＣＩＳ２，４から出力されるデジタル読取信号ＤＲ２ａ，ＤＲ４ａに対して、時間的に先行しているので、ＣＩＳ１，３，５とＣＩＳ２，４との副走査方向の距離に相当する副走査ステップの数だけデジタル読取信号ＤＲ１ａ，ＤＲ３ａ，ＤＲ５ａの出力タイミングを遅延させることで、デジタル読取信号ＤＲ１ａ，ＤＲ３ａ，ＤＲ５ａとデジタル読取信号ＤＲ２ａ，ＤＲ４ａとを同一副走査読取位置の信号とすることができる。副走査位置合わせ処理部２０３は、このような副走査位置合わせ処理を行うためのものである。
【００１８】
副走査位置合わせ処理部２０３は、原稿先端検知部２０２より入力した検出信号ＳＳに基づいてＣＩＳ１〜５の読取位置がそれぞれ原稿Ｐの先端を検知したタイミングを認識し、おのおののＣＩＳ１〜５から出力されるデジタル読取信号ＤＲ１ａ〜ＤＲ５ａが、同一の副走査位置の画像を読み取ったものとなるように、バッファメモリ２０５に対するバッファメモリ２０４の遅延ライン数と、バッファメモリ２０７に対するバッファメモリ２０６，２０８の遅延ライン数とを制御する。それにより、デジタル読取信号ＤＲ１ａ〜ＤＲ５ａは、同一の副走査位置の画像に対応したものとなった状態で、次の主走査繋ぎ目補正部２０９へ出力される。
【００１９】
主走査繋ぎ目補正部２０９は、後述する方法により、ＣＩＳ１〜５の読取位置を１主走査ラインに繋ぎ合わせた態様にデジタル読取信号ＤＲ１ａ〜ＤＲ５ａを補正処理するものであり、その補正処理結果は、画像データ出力部２１０を介して、外部に出力される。
【００２０】
次に、原稿先端検知方法について説明する。
ＣＩＳ１〜５では、図２に示すように、光源Ｌが、レンズ素子Ｚよりも原稿搬送上流側に位置する。原稿Ｐは厚みがあるので、原稿ＰがＣＩＳ１〜５の読取位置を横切る際、その先端は光源Ｌより背後から照明されるので、原稿Ｐの厚みにより原稿Ｐの先端部には、図５に示すような陰影Ｋが形成され、この陰影Ｋが、ＣＩＳ１〜５により読み取られる（図２参照）。
【００２１】
ここで、ＣＩＳ１〜５が読み取る画像の濃度を考えると、図６（ａ）に示すように、圧板ＢＰ１，ＢＰ２は、その表面がシェーディング補正用の白基準となる白色に形成されるので輝度が高く（すなわち、濃度が低い）、原稿Ｐの地肌は、圧板ＢＰ１，ＢＰ２に比べれば濃度が高いが、白地などの場合はある程度濃度が低く、それに比べて、原稿Ｐの先端に形成される陰影Ｋの濃度は高い。そして、ＣＩＳ１〜５の読取信号は、ＣＩＳ１〜５が読み取った画像の濃度に応じたレベルの信号となる。
【００２２】
そこで、陰影Ｋの濃度よりも高い信号レベルで、かつ、原稿Ｐの地肌の濃度よりも低い信号レベルの閾値を定め、その閾値でデジタル読取信号ＤＲ１ａ〜ＤＲ５ａを二値化処理すると、図６（ｂ）に示すように、ＣＩＳ１〜５がそれぞれ原稿Ｐの先端を読み取ったタイミングで信号レベルが変化する検出信号ＳＳを得ることができる。原稿先端検知部２０２は、このような信号処理により、検出信号ＳＳを形成している。なお、図６（ｂ）の前側ＣＩＳは、この場合、搬送方向上流側に配設されているＣＩＳ１，ＣＩＳ３，ＣＩＳ５をあらわし、また、後側ＣＩＳは、この場合、搬送方向下流側に配設されているＣＩＳ２，ＣＩＳ４をあらわす（以下、同じ）。
【００２３】
ＣＩＳ１についての検出信号ＳＳの信号レベルの変化タイミングから、ＣＩＳ２についての検出信号ＳＳの信号レベルの変化タイミングまでの時間を測定すると、ＣＩＳ１の読取位置とＣＩＳ２の読取位置の副走査方向の距離ＳＹ（図３参照）に対応した情報（副走査遅延量）を得ることができる。
副走査位置合わせ処理部２０３は、そのようにして取得した副走査遅延量に基づいて、バッファメモリ２０４〜２０８の読出を制御することで、副走査方向の位置ずれを解消した状態で、デジタル読取信号ＤＲ１ａ〜ＤＲ５ａを主走査繋ぎ目補正部２０９へ出力することができる。
【００２４】
図７（ａ）〜（ｈ）は、この場合の副走査画像読取タイミングを説明するための波形図である。なお、以下の各信号は、ＣＰＵ３００の指示により、ＣＩＳ１〜５の駆動信号を形成する駆動手段（図示略）が形成し、それぞれのＣＩＳ１〜５に出力するものである。
図７（ａ）は、搬送される原稿ＰがＣＩＳ１〜５をそれぞれ通過している様子をあらわし、図７（ｂ）は、ＣＩＳ１〜５の１主走査のタイミングを規定するラインクロックＣＬＫを示し、図７（ｃ）は、前側ＣＩＳ（すなわち、ＣＩＳ１，ＣＩＳ３，ＣＩＳ５）のシェーディング補正用データの読込期間を指定する信号ＳＨＧＡＴＥ（前側ＣＩＳ）を示し、図７（ｄ）は、前側ＣＩＳの副走査方向の画像読取期間をあらわす信号ＦＧＡＴＥ（前側ＣＩＳ）を示し、図７（ｅ）は、前側ＣＩＳの副走査の有効期間をあらわす信号ＬＧＡＴＥ（前側ＣＩＳ）を示す。
【００２５】
また、図７（ｆ）は、後側ＣＩＳ（すなわち、ＣＩＳ２，ＣＩＳ４）のシェーディング補正用データの読込期間を指定する信号ＳＨＧＡＴＥ（後側ＣＩＳ）を示し、図７（ｇ）は、後側ＣＩＳの副走査方向の画像読取期間をあらわす信号ＦＧＡＴＥ（後側ＣＩＳ）を示し、図７（ｈ）は、後側ＣＩＳの副走査の有効期間をあらわす信号ＬＧＡＴＥ（後側ＣＩＳ）を示す。
そして、この場合、システムで想定されている前側ＣＩＳと後側ＣＩＳとの副走査遅延量は、基本的には、信号ＦＧＡＴＥ（前側ＣＩＳ）のアサート開始タイミングから、信号ＦＧＡＴＥ（後側ＣＩＳ）のアサート開始タイミングまでの時間となる。
この副走査遅延量は、上述したように、種々の理由により変動する可能性があるので、この実施例の方法を採用し、副走査遅延量を適宜なタイミング（例えば、各走査線毎）で測定することで、常に、適切な副走査位置合わせが可能となる。
【００２６】
次に、図８（ａ），（ｂ）を参照して、主走査繋ぎ目補正部２０９が行う主走査繋ぎ目補正処理について説明する。ここでは、ＣＩＳ１とＣＩＳ２の主走査方向繋ぎ目補正処理を説明しているが、ＣＩＳ２とＣＩＳ３、ＣＩＳ３とＣＩＳ４、ＣＩＳ４とＣＩＳ５のそれぞれについても、同様の主走査方向繋ぎ目補正処理を適用することができる。なお、以下に説明する主走査繋ぎ目補正方法は従来周知方法であり、他の方法に代えることが可能である。
まず、ＣＩＳ１とＣＩＳ２の主走査方向の重複領域の画素数が１２８画素であるとする。そして、この重複領域を８分割した単位（この場合は１６画素）に分割し、それぞれの分割領域で重み付け係数を設定した重み付け係数演算を行う。
【００２７】
この場合、ＣＩＳ１の各分割領域については、主走査開始方向から主走査終了方向に向けて、７／８，６／８，５／８，４／８，４／８，３／８，２／８，１／８の重み付け係数を各画素値に乗じるとともに、ＣＩＳ２の各分割領域については、主走査開始方向から主走査終了方向に向けて、１／８，２／８，３／８，４／８，４／８，５／８，６／８，７／８の重み付け係数を各画素値に乗じ、それぞれ同じ画素位置で加算して、重複領域の画素値を得る。なお、この主走査方向の重複領域の画素数は、重複領域の分割数が８なので、８の倍数であれば他の画素数、例えば、８，１６，３２，２５６などを採用することができる。
【００２８】
図９は、この実施例に係る画像読取装置を備えた画像形成装置としての複写装置のシステム全体の構成を示す図である。このシステムは複写機装置本体５００と、複写機装置本体５００の背面側に連結された紙折り装置６００とからなる広幅の用紙に対応した画像形成システムである。
紙折り装置６００は、用紙の端面折りやジャバラ状折りを行う。紙折り装置６００は、本体との連結部６０２、用紙の耳を折る耳折り部６０３、用紙を搬送方向にジャバラ状に折るジャバラ折り部６０４、搬送方向を９０°変更する搬送切換装置６０５、クロス折り装置（不図示）、表裏を反転させる反転装置６０７、用紙を９０°回転させ、例えばＡ４横をＡ４縦に替える回転装置６０８、及び折られた用紙を排出しスタックするトレイ６０９からなっている。
【００２９】
複写機装置本体５００には画像読取装置（この実施例にかかる画像読取装置）７００が配置されていると共に、その下部に手差し給紙台５０８が配置されている。この手差し給紙台５０８に用紙Ｐをセットしこの用紙Ｐは、レジストロール５０７により一次停止され、タイミングをとって作像ユニット５０６に供給される。作像ユニット５０６は、図示しない感光体に画像データに対応した潜像が形成され、この潜像がトナーにより現像され、このトナーが用紙に転写され、定着装置５１０により定着されるようにしてある。
【００３０】
定着装置５１０でトナーが定着された記録済用紙Ｐは記録済用紙排出ロール５１１により、紙折りを行う場合は紙折り装置６００へ排出される。また、紙折りを行わない場合は、図示されていない切換爪により上排紙ローラ５０９により本体胴内へ排出される。用紙Ｐを折る場合は記録済用紙排出ロール５１１より用紙Ｐは紙折り装置６００に送られ、耳折りする場合は耳折り部６０３で用紙Ｐの角部が折られる。耳折り部６０３で用紙Ｐの角部が折られた後、用紙Ｐはジャバラ折り部６０４でジャバラ状に折られ、搬送切換装置６０５に送られる。搬送切換装置６０５では、搬送方向が変更され、クロス折り装置でジャバラ折りされた用紙Ｐの短手方向が折られ、反転装置６０７で表裏を反転され、さらに用紙方向を回転装置６０８で回転させてトレイ上にスタックされる。上述した画像読取装置はこのような広幅対応の画像形成装置に使用される。
【００３１】
なお、上述した実施例では、５個のＣＩＳを備えた千鳥状センサについて説明したが、このＣＩＳの数は５個に限らず、適宜な個数であってよい。
また、図４に示したＣＩＳ１〜５の読取信号を処理する信号処理系では、副走査位置合わせ処理部２０３の次に主走査繋ぎ目補正部２０９を配置しており、副走査についての位置合わせを行った後に、主走査方向の画像のつなぎを行うようにしているが、主走査方向の画像のつなぎ方法として図８の方法を採用する場合、先に主走査方向の画像のつなぎ方法にかかる重み付け演算のうち係数を乗じる処理を行った後、副走査についての位置合わせを行い、上記重み付け演算のうち和を算出する処理を行うようにすることもできる。
【００３２】
また、原稿先端検知部２０２より入力した検出信号ＳＳに基づいて副走査位置合わせ処理部２０３が算出した遅延ライン数をＲＡＭ４００に格納しておき、副走査位置合わせ処理部２０３は、ＲＡＭ４００に格納した遅延ライン数を読み込んで各バッファメモリ２０４〜２０８の遅延ライン数を制御するように構成することもできる。あるいは、原稿先端検知部２０２が検出した検出信号ＳＳの検出タイミングの情報をＲＡＭ４００に格納し、副走査位置合わせ制御部２０３は、ＲＡＭ４００に格納した検出信号ＳＳの検出タイミングの情報を読み出して上述した遅延ライン数を算出し、その算出した遅延ライン数に従って各バッファメモリ２０４〜２０８の遅延ライン数を制御するように構成することもできる。その場合、原稿先端検知部２０２および副走査位置合わせ処理部２０３は、原稿読取手段のあらかじめ定めた所定の条件を満たす原稿読取動作、例えば、装置の電源投入時や、一日に一回の割合であらかじめ定められた時刻に行う原稿読取動作の際に、原稿先端検知処理および遅延ライン数の算出処理を行えばよくなり、原稿先端検知部２０２および副走査位置合わせ処理部２０３の処理負担が軽減されることとなる。
【産業上の利用可能性】
【００３３】
この発明は、千鳥状センサを用いて画像を読み取る幅広画像読み取りが可能な画像読取装置および画像形成装置に適用することができる。
【符号の説明】
【００３４】
１，２，３，４，５：ＣＩＳ（Ｃｏｎｔａｃｔ  Ｉｍａｇｅ  Ｓｅｎｓｏｒ）
Ｐ：原稿    Ｒ１，Ｒ２：搬送ローラ対  Ｇ：コンタクトガラス
Ｌ：光源    Ｚ：レンズ素子    Ｓ：等倍ラインセンサ
１１，１２，１３，１４，１５：アナログ・デジタル変換器    １００：読取部
２００：画像処理部    ２０１：シェーディング補正部    ２０２：原稿先端検知部
２０３：副走査位置合わせ処理部
２０４，２０５，２０６，２０７，２０８：バッファメモリ
２０９：主走査繋ぎ目補正部    ２１０：画像データ出力部
３００：ＣＰＵ（中央処理装置）    ４００：ＲＡＭ（ランダム・アクセス・メモリ）
【先行技術文献】
【特許文献】
【００３５】
【特許文献１】特開２００６−１０９４０８号公報
【特許文献２】特開２００３−４６７３６号公報
【図１】
2010219873.tif 000003
【図２】
2010219873.tif 000004
【図３】
2010219873.tif 000005
【図４】
2010219873.tif 000006
【図５】
2010219873.tif 000007
【図６】
2010219873.tif 000008
【図７】
2010219873.tif 000009
【図８】
2010219873.tif 000010
【図９】
2010219873.tif 000011